(57)【特許請求の範囲】
【請求項１】
フレキシブル表示装置であって、
湾曲変形性を有するフレキシブル表示パネルと、前記フレキシブル表示パネルと電気的に接続される可撓性回路基板と、駆動ＩＣとを備え、
前記可撓性回路基板は、本体部及び接続部を含み、前記本体部は、素子配置領域と、予備領域とに分けられ、前記接続部は前記予備領域から前記フレキシブル表示パネルに向かって延びて前記フレキシブル表示パネルに接続され、
前記素子配置領域は、前記予備領域の両側に位置する第一素子配置領域及び第二素子配置領域を含み、
前記第一素子配置領域と前記接続部と前記フレキシブル表示パネルにより第一隔離空間を形成しており、前記第二素子配置領域と前記接続部と前記フレキシブル表示パネルにより第二隔離空間を形成しており、
前記第一素子配置領域及び前記第二素子配置領域には全て前記ＩＣが電気的に実装されている、
ことを特徴とするフレキシブル表示装置。
【請求項２】
前記接続部は、前記フレキシブル表示パネルの接続側縁に接続されている、ことを特徴とする請求項１に記載のフレキシブル表示装置。
【請求項３】
前記本体部は、前記接続側縁に沿って、前記第一素子配置領域と、前記予備領域と、前記第二素子配置領域に分けられる、
ことを特徴とする請求項２に記載のフレキシブル表示装置。
【請求項４】
前記駆動ＩＣの配置方向は、前記接続側縁に対して平行である、 
ことを特徴とする請求項２に記載のフレキシブル表示装置。 
【請求項５】
前記予備領域は、前記接続部の前記接続側縁と反対側にある貫通領域である、 
ことを特徴とする請求項２に記載のフレキシブル表示装置。 
【請求項６】
前記予備領域は、前記貫通領域と、前記貫通領域と前記第一素子配置領域の間に位置する第一分離領域と、前記貫通領域と前記第二素子配置領域の間に位置する第二分離領域と、を含む、
ことを特徴とする請求項５に記載のフレキシブル表示装置。
【請求項７】
前記第一素子配置領域は、前記第一素子配置領域から前記フレキシブル表示パネルとは反対に突出するように延びる第一拡張領域をさらに含み、前記第二素子配置領域は、前記第二素子配置領域から前記フレキシブル表示パネルとは反対に突出するように延びる第二拡張領域をさらに含み、
前記駆動ＩＣは、前記第一拡張領域及び前記第二拡張領域に配置されている、
ことを特徴とする請求項１に記載のフレキシブル表示装置。
【請求項８】
複数の前記可撓性回路基板を含む、
ことを特徴とする請求項１〜７に記載のフレキシブル表示装置。
【請求項９】
請求項１〜８のいずれか１項に記載のフレキシブル表示装置を含む電子デバイス。
【発明の詳細な説明】
【技術分野】
【０００１】
本発明は、表示技術分野に属し、特に、フレキシブル表示装置及びそのフレキシブル表示装置を備える電子デバイスに関する。
【背景技術】
【０００２】
現在、一般的な表示装置は、テレビ、コンピューター、及び携帯電話などに用いられるディスプレイスクリーンを含む。そのディスプレイスクリーンは、液晶ディスプレイ（Liquid Crystal Display、ＬＣＤ）、又は発光ダイオード（Light emitting diode、ＬＥＤ）ディスプレイなどであり得る。これらのディスプレイスクリーンは、一定の重量、厚み、及び体積を持ち、特定の場所に固定される必要がある。これに基づき、三次元ディスプレイ又はタッチディスプレイなどの応用は、ユーザに全く新しい感覚及び体験を与える。フレキシブル表示装置は、上記のような表示装置と異なり、軽量性、薄型性、可撓性などの特性による将来的な利用可能性の高いフレキシブルディスプレイスクリーンを主構成要素とする。
【０００３】
通常、フレキシブル表示装置は可撓性材料からなり、変形可能で可撓性のある表示装置であり、低消費電力、小体積、及び直視可撓性（direct visualized flexibility）などの特徴を有する。一般的に、駆動ＩＣは、フレキシブルディスプレイスクリーン及びフレキシブルディスプレイ製品を駆動するためのものであり、可撓性薄膜のＴＣＰやＣＯＰ薄膜に粘着された後、パネルに固定して使用されることが多い。図１〜図４は、駆動ＩＣ３ａの取付構造を示す概略図である。ここで、図１〜図３では、駆動ＩＣ３ａがフレキシブル表示パネル１ａの一方の側縁に設けられ、図４では、駆動ＩＣ３ａがフレキシブル表示パネル１ａの２つの隣接する側縁に設けられる。このことから、駆動ＩＣ３ａは、一般的に、フレキシブル表示パネル１ａのエッジ方向に沿って設けられることが分かる。駆動ＩＣ３ａは一定の幾何学的な長さを有するため、従来の取付け方法によると、ＩＣ回路の配線を簡素化できるが、駆動ＩＣ３ａが設けられたフレキシブル表示パネル１ａは、それ自体の湾曲に伴って駆動ＩＣ３ａが湾曲可能であっても、湾曲の曲率及び曲げ力が大きくなると、湾曲過程において、駆動ＩＣ３ａの破裂及び／又は破断により損傷の問題が生じることがある。
【発明の概要】
【発明が解決しようとする課題】
【０００４】
本発明の目的は、可撓性回路基板に予備領域（reserved region）を設けることにより、従来技術における駆動ＩＣがフレキシブル表示パネルに伴って湾曲するときに破裂及び／又は破断を発生しやすいという技術的問題を解決できるフレキシブル表示装置及び電子デバイスを提供することにある。
【課題を解決するための手段】
【０００５】
第１の態様によれば、フレキシブル表示装置であって、
湾曲変形性を有するフレキシブル表示パネルと、上記フレキシブル表示パネルと電気的に接続される可撓性回路基板と、駆動ＩＣとを備え、
上記可撓性回路基板は、素子配置領域及び予備領域を有する本体部と、上記予備領域から上記フレキシブル表示パネルに向かって延びて上記フレキシブル表示パネルに接続される接続部とを含み、
上記本体部と上記接続部と上記フレキシブル表示パネルにより、隔離空間（separation space）を形成しており、
上記駆動ＩＣは、上記素子配置領域に電気的に実装されている、フレキシブル表示装置を提供する。
【０００６】
第１の態様に係る第１の可能な実施態様において、上記接続部は、上記フレキシブル表示パネルの接続側縁に接続されている。
【０００７】
第１の態様の第１の可能な実施態様に係る第２の可能な実施態様において、上記本体部は、上記接続側縁に対応する長手方向に沿って、上記素子配置領域と上記予備領域に分けられる。
【０００８】
第１の態様の第１の可能な実施態様に係る第３の可能な実施態様において、上記駆動ＩＣの配置方向は上記接続側縁に対して平行である。
【０００９】
第１の態様の第１の可能な実施態様に係る第４の可能な実施態様において、上記予備領域は、上記接続部の上記接続側縁と反対側にある貫通領域（penetrating region）である。
【００１０】
第１の態様の第４の可能な実施態様に係る第５の可能な実施態様において、上記予備領域は、上記貫通領域と、上記貫通領域と上記素子配置領域の間に位置する分離領域とを含む。
【００１１】
第１の態様の第４の可能な実施態様に係る第６の可能な実施態様において、上記素子配置領域は、上記貫通領域の両側に位置する第一素子配置領域及び第二素子配置領域を含む。
【００１２】
第１の態様の第５の可能な実施態様に係る第７の可能な実施態様において、上記予備領域は、上記貫通領域と、上記貫通領域の両側に位置する第一分離領域及び第二分離領域とを含む。
【００１３】
第１の態様に係る第８の可能な実施態様において、上記本体部は、上記素子配置領域から上記フレキシブル表示パネルとは反対に突出するように延びる拡張領域（extension region）をさらに含み、上記駆動ＩＣは上記拡張領域に配置されている。
【００１４】
第１の態様又は第１の態様の第１〜第７の可能な実施態様のいずれか１つに係る第９の可能な実施態様において、上記フレキシブル表示装置は、複数の上記可撓性回路基板を含む。
【００１５】
第２の態様によれば、上記フレキシブル表示装置のいずれか１つを含む電子デバイスを提供する。
【発明の効果】
【００１６】
本発明は、従来技術と比べて、上記可撓性回路基板上に予備領域を設けて、かつ上記駆動ＩＣを素子配置領域に設けることにより、上記フレキシブル表示パネルの湾曲変形が生じるときに、上記可撓性回路基板に設けられた駆動ＩＣに影響を与えないため、上記駆動ＩＣに切断や破断などの損傷をもたらすことを防止できるという技術的効果を有する。
【図面の簡単な説明】
【００１７】
以下、本発明の実施形態に係る技術的構成をより明確に説明するために、本発明の実施形態又は従来技術の説明に使用される図面について簡単に説明する。以下に説明する図面は、本発明のいくつかの実施形態に過ぎず、これらの図面によって得られる他の図面は、当業者にとって可能であることは明らかであろう。
【図１】図１は、従来技術に係るフレキシブル表示パネルに実装される駆動ＩＣの取付構造を示す概略図である。
【図２】図２は、図１におけるフレキシブル表示パネルがその長手方向周りに湾曲する構造を示す概略図である。
【図３】図３は、図１におけるフレキシブル表示パネルがその短手方向周りに湾曲する構造を示す概略図である。
【図４】図４は、従来技術に係るフレキシブル表示パネルに実装される駆動ＩＣの別の取付構造を示す概略図である。
【図５】図５は、本発明の実施形態に係るフレキシブル表示装置の一つの構造を示す概略図である。
【図６】図６は、本発明の実施形態に係るフレキシブル表示装置の別の構造を示す概略図である。
【図７】図７は、本発明の実施形態に係るフレキシブル表示装置の別の構造を示す概略図である。
【図８】図８は、図５におけるフレキシブル表示装置がフレキシブル表示パネルの一方の接続側縁周りに湾曲する構造を示す概略図である。
【図９】図９は、図５におけるフレキシブル表示装置がフレキシブル表示パネルの他方の接続側縁周りに湾曲する構造を示す概略図である。
【発明を実施するための形態】
【００１８】
以下、本発明の目的、技術的構想、及び長所をより明確にするため、図面及び実施形態を参照しながら、本発明をさらに詳細に説明する。以下の具体的な実施形態は、本発明を説明するためのものに過ぎず、本発明を限定するものではないと理解されるべきである。
【００１９】
図５〜図７に示すように、本発明の実施形態に係るフレキシブル表示装置は、湾曲変形性を有するフレキシブル表示パネル１０と、上記フレキシブル表示パネル１０と電気的に接続される可撓性回路基板２０と、駆動ＩＣ３０とを備える。上記可撓性回路基板２０は、素子配置領域２２及び予備領域２３を有する本体部２１と、上記予備領域２３から上記フレキシブル表示パネル１０に向かって延びて上記フレキシブル表示パネル１０に接続される接続部２５とを含む。上記本体部２１と上記接続部２５と上記フレキシブル表示パネル１０とにより、隔離空間１２を形成している。上記駆動ＩＣ３０は、上記素子配置領域２２に電気的に実装されている。
【００２０】
本発明の実施形態に係るフレキシブル表示装置は、上記可撓性回路基板２０に予備領域２３を設けて、上記本体部２１と上記フレキシブル表示パネル１０との間に隔離空間１２を形成して、かつ、上記駆動ＩＣ３０を素子配置領域２２に設けることにより、上記フレキシブル表示パネル１０の湾曲変形が生じるときに、上記可撓性回路基板２０に設けられた駆動ＩＣ３０に影響を与えないため、上記駆動ＩＣ３０に切断や破断などの損傷をもたらす現象を防止することができる。
【００２１】
本実施形態において、本体部２１とフレキシブル表示パネル１０の間に隔離空間１２が存在し、かつ可撓性回路基板２０に予備領域２３が設けられるので、上記フレキシブル表示パネル１０がその任意の側縁周りに湾曲するときに、上記素子配置領域２２が上記駆動ＩＣ３０とともに湾曲変形の過程に関与しないため、上記駆動ＩＣ３０によって上記フレキシブル表示パネル１０の湾曲変形に影響を与えることはない。
【００２２】
本実施形態において、上記予備領域２３と上記素子配置領域２２と上記接続部２５とは、一体に配置される。
【００２３】
本実施形態において、上記フレキシブル表示パネル１０は、ＯＬＥＤフレキシブルディスプレイスクリーン又はフレキシブルタッチディスプレイスクリーンである。
【００２４】
本実施形態において、上記フレキシブル表示パネル１０は、上記可撓性回路基板２０とともに、そのフレキシブル表示パネル１０の長手方向又は短手方向周りに湾曲して変形できる。
【００２５】
図５〜図７に示すように、上記接続部２５は、さらに、上記フレキシブル表示パネル１０の接続側縁１４に接続される。上記接続部２５は、接続側縁１４と物理的に接続されるだけでなく、接続側縁１４によってフレキシブル表示パネル１０と電気的に接続されている。なお、上記接続部２５は、上記予備領域２３に沿って延びて、かつ上記フレキシブル表示パネル１０の接続側縁１４に接続される。また、上記接続部２５が位置する平面は、上記フレキシブル表示パネル１０の表示面に対して平行である。
【００２６】
図５に示すように、上記本体部２１は、上記接続側縁１４に対応する長手方向に沿って上記素子配置領域２２と上記予備領域２３に分けられることが好ましい。なお、上記素子配置領域２２と上記予備領域２３とは、上記接続側縁１４に対応する長手方向に並設される。上記素子配置領域２２と上記予備領域２３の配列方向は、上記接続側縁１４の延伸方向と一致するか、又は上記接続側縁１４の延伸方向との間で９０度を除く０度〜１８０度の角をなす。
【００２７】
好ましくは、上記駆動ＩＣ３０の配置方向は、上記接続側縁１４に対して平行である。他の実施形態において、上記駆動ＩＣ３０の配置方向は、上記接続側縁１４と９０度又は任意の角度をなす。
【００２８】
図５に示すように、上記予備領域２３は、上記接続部２５の上記接続側縁１４と反対側にある貫通領域２３０であることが好ましい。なお、上記可撓性回路基板２０は、展開状態にあるときに、上記接続部２５と上記予備領域２３と上記素子配置領域２２とは、Ｌ字状に配置されている。上記接続部２５は上記予備領域２３と上記フレキシブル表示パネル１０の間に位置している。上記接続部２５と上記予備領域２３の配列方向は、上記フレキシブル表示パネル１０における上記接続部２５と接続される側縁である接続側縁１４に対して垂直である。上記フレキシブル表示パネル１０が、当該接続側縁１４周りに湾曲して変形するときに、素子配置領域２２は、隔離空間１２の存在により湾曲変形に関与しないため、駆動ＩＣ３０への損傷を防止することができる。同様に、上記フレキシブル表示パネル１０が、当該接続側縁１４と隣接する側縁周りに湾曲して変形するときに、上記接続部２５及び上記予備領域２３が湾曲変形に関与するが、その素子配置領域２２は、隔離空間１２の存在により湾曲変形に関与しないため、駆動ＩＣ３０への損傷を防止することができる。
【００２９】
図６に示すように、上記予備領域２３は、上記貫通領域２３０と、上記貫通領域２３０と上記素子配置領域２２の間に位置する分離領域２３２とを含むことが好ましい。上記予備領域２３は、上記接続部２５の上記接続側縁１４と反対側に位置する貫通領域２３０と、上記貫通領域２３０と上記素子配置領域２２の間に位置する分離領域２３２とを含む。なお、上記貫通領域２３０と上記分離領域２３２と上記素子配置領域２２とは、上記接続側縁１４の延伸方向に沿って並設される。上記分離領域２３２と上記貫通領域２３０と上記接続部２５とは、Ｌ字状に配置されている。上記フレキシブル表示パネル１０が、当該接続側縁１４の周りに湾曲して変形するときに、素子配置領域２２は、図８に示すように、隔離空間１２の存在により湾曲変形に関与しないため、駆動ＩＣ３０への損傷を防止することができる。同様に、上記フレキシブル表示パネル１０が、当該接続側縁１４と隣接する側縁の周りに湾曲して変形するときに、上記接続部２５及び上記予備領域２３が湾曲変形に関与するが、その素子配置領域２２は、図９に示すように、予備領域２３と素子配置領域２２とが隔離空間１２を取り囲むように並設されることにより湾曲変形に関与しないため、駆動ＩＣ３０への損傷を防止することができる。
【００３０】
図７に示すように、上記予備領域２３は、上記接続部２５の上記接続側縁１４と反対側に位置する貫通領域２３０と、上記貫通領域２３０の両側に位置する第一分離領域２３４及び第二分離領域２３６とを含むことが好ましい。このように、上記第一分離領域２３４及び上記第二分離領域２３６が上記貫通領域２３０の両側に位置することで、上記第一分離領域２３４と上記貫通領域２３０と上記第二分離領域２３６と上記接続部２５とは、Ｔ字状に配置される。上記接続部２５及び上記貫通領域２３０の配列方向は、上記第一分離領域２３４、上記貫通領域２３０、及び上記第二間隔領域２３６の配列方向と９０度又は任意の角度をなす。上記フレキシブル表示パネル１０が当該接続側縁１４の周りに湾曲して変形するときに、素子配置領域２２は、隔離空間１２の存在により湾曲変形に関与しないため、駆動ＩＣ３０への損傷を防止することができる。同様に、上記フレキシブル表示パネル１０が、当該接続側縁１４と隣接する側縁周りに湾曲して変形するときに、その素子配置領域２２は、隔離空間１２並びに第一分離領域２３４及び第二分離領域２３６により湾曲変形に関与しないため、駆動ＩＣ３０への損傷を防止することができる。
【００３１】
図７に示すように、好ましくは、上記素子配置領域２２は、上記貫通領域２３０の両側に位置する第一素子配置領域２２０及び第二素子配置領域２２２を含む。このように、上記第一素子配置領域２２０及び上記第二素子配置領域２２２は、上記貫通領域２３０の両側に位置する。すなわち、上記第一素子配置領域２２０、上記貫通領域２３０及び上記第二素子配置領域２２２の配列方向は、上記接続側縁１４の延伸方向に対して平行であるか、又は上記第一素子配置領域２２０、上記第一分離領域２３４、上記貫通領域２３０、上記第二分離領域２３６、及び上記第二素子配置領域２２２の配列方向は、上記接続側縁１４の延伸方向に対して平行である。
【００３２】
図５〜図７に示すように、上記本体部２１は、上記素子配置領域２２から上記フレキシブル表示パネル１０とは反対に突出するように延びる拡張領域２４をさらに含み、上記駆動ＩＣ３０は、上記拡張領域２４に配置されていることがより好ましい。このように、上記拡張領域２４及び上記隔離空間１２は上記素子配置領域２２の両側に位置して、上記拡張領域２４及び上記素子配置領域２２の配列方向は、上記フレキシブル表示パネル１０の接続側縁１４と９０度又は任意の角度をなす。
【００３３】
さらに、上記フレキシブル表示装置は、複数の上記可撓性回路基板２０を含む。上記複数の可撓性回路基板２０は、上記フレキシブル表示パネル１０の１つ又は複数の側に接続されることが好ましい。上記複数の可撓性回路基板２０は、上記フレキシブル表示パネル１０的接続側縁１４に沿って並設されている。
【００３４】
図５〜７に示すように、本発明の実施形態に係る電子デバイスは、湾曲変形性を有するフレキシブル表示パネル１０と、上記フレキシブル表示パネル１０と電気的に接続される可撓性回路基板２０と、駆動ＩＣ３０とを備えるフレキシブル表示装置を含む。上記可撓性回路基板２０は、素子配置領域２２及び予備領域２３を有する本体部２１と、上記予備領域２３から上記フレキシブル表示パネル１０に向かって延びて上記フレキシブル表示パネル１０に接続される接続部２５とを含む。上記本体部２１と上記接続部２５と上記フレキシブル表示パネル１０により、隔離空間１２を形成している。上記駆動ＩＣ３０は、上記素子配置領域２２に電気的に実装されている。
【００３５】
本発明の実施形態に係る電子デバイスにおけるフレキシブル表示装置は、上記した実施形態に係るフレキシブル表示装置のいずれであってもよく、その構造及び機能も上記と同様とし、ここで説明を省略する。
【００３６】
上述したのは本発明の好ましい実施形態であり、本発明を限定するものではない。本発明の思想及び原則内にあるものであれば、いかなる修正、均等交換、改良等があっても、本発明の保護範囲内に含まれるべきである。
【図１】
0006533581.tif 000002
【図２】
0006533581.tif 000003
【図３】
0006533581.tif 000004
【図４】
0006533581.tif 000005
【図５】
0006533581.tif 000006
【図６】
0006533581.tif 000007
【図７】
0006533581.tif 000008
【図８】
0006533581.tif 000009
【図９】
0006533581.tif 000010